(57)【要約】      （修正有）【課題】透過用照明光源と反射用照明光源の２組の照明光源を設けずに、１台の照明装置で透過照明と反射照明を実現する。【解決手段】照明装置１は、棒状で対向して配置された２つの冷陰極管８ａ，８ｂとこの２つの冷陰極管８ａ，８ｂの間に透過光体４やペトリ皿１６やフィルム培地１４を載せるための載置台２ｃとを有する本体２と、ペトリ皿１６やフィルム培地１４を載せるための載置板６ａを有する透過光部６を有している透過光体４と、を備え、本体２の載置台２ｃに透過光体４を載せ、透過光体４の透過光部６の載置板６ａ上にフィルム状培地１４やペトリ皿１６を載せることによって透過照明を得ることができ、本体２の載置台２ｃに直接ペトリ皿１６やフィルム状培地１４を載せることによって反射照明を得る。【選択図】図１
0003113204.tif 000002
【実用新案登録請求の範囲】
【請求項１】
光を照射するための光源と、位置決め部と、を備え、
前記位置決め部は、前記光源から照射された光がコロニーを収容した収容体を透過し、その透過光により前記収容体に収容されたコロニーを観察可能な位置に前記収容体を位置させることができるように構成されているとともに、
前記光源から照射された光が前記収容体に収容されたコロニーによって反射され、その反射光により前記収容体に収容されたコロニーを観察可能な位置に前記収容体を位置させることができるように構成されていることを特徴とする照明装置。
【請求項２】
請求項１に記載の照明装置において、
前記位置決め部は、透過光体と、載置台と、を備え、
前記透過光体は、前記収容体を載置可能であるとともに前記透過光体に前記収容体を載せることにより前記光源から照射された光が前記透過光体の内部と前記収容体の内部を透過し、その透過光により前記収容体に収容されたコロニーを観察可能な位置に前記収容体を位置させることができるように構成され、
前記載置台は、前記収容体を載置可能であるとともに前記載置台に前記収容体を載せることにより前記光源から照射された光が前記収容体に収容されたコロニーによって反射され、その反射光により前記収容体に収容されたコロニーを観察可能な位置に前記収容体を位置させることができるように構成されていることを特徴とする照明装置。
【請求項３】
請求項２に記載の照明装置において、
前記透過光体は、反射部材と、透過光部材と、を有し、
前記反射部材は、前記光源から照射された光が前記反射部材によって前記透過光部材へ反射させるように構成され、
前記透過光部材は、前記収容体を載置可能であるとともに前記透過光部材に前記収容体を載せることにより前記反射部材によって反射された光が前記透過光部材の内部と前記収容体の内部を透過し、その透過光により前記収容体に収容されたコロニーを観察可能な位置に前記収容体を位置させることができるように構成されていることを特徴とする照明装置。
【請求項４】
請求項３に記載の照明装置において、
前記透過光体の前記反射部材は、光散乱部を有することを特徴とする照明装置。
【請求項５】
請求項３または請求項４に記載の照明装置において、
前記透過光体の前記透過光部材は、前記反射部材によって反射された光が前記透過光部材の内部を透過し、前記収容体へ出射するための出射面に光散乱部を有する光散乱部材からなることを特徴とする照明装置。
【請求項６】
請求項２〜請求項５のいずれかに記載の照明装置において、
前記照明装置の前記載置台は、不透明部材からなることを特徴とする照明装置。
【請求項７】
請求項１〜請求項６のいずれかに記載の照明装置において、
前記光源は、前記収容体を間に挟んで対向する位置に配置された２つの光源部からなることを特徴とする照明装置。
【請求項８】
請求項７に記載の照明装置において、
前記光源の２つの光源部は、冷陰極管であることを特徴とする照明装置。
【考案の詳細な説明】
【技術分野】
【０００１】
本考案は、培地上で育成した細菌や微生物等のコロニーを観察するための照明装置に関する。
【背景技術】
【０００２】
従来、フィルム状の培地で生育した細菌や微生物等のコロニーを観察するための照明装置として、フィルム状の培地で生育した細菌や微生物等のコロニーを光源による透過光を介して観察する透過専用の照明装置が一般に採用されている。一方、ペトリ皿中の寒天培地で生育した細菌や微生物等のコロニーを観察するための照明装置として、ペトリ皿中の寒天培地で生育した細菌や微生物等のコロニーを光源による反射光を介して観察する反射専用の照明装置が一般に採用されている。
【０００３】
また、透過用照明光源と反射用照明光源の２組の照明光源を設けて１台の装置で透過用照明と反射用照明を兼用するコロニー計数装置（例えば特許文献１参照）のような照明装置がある。
【特許文献１】特開２０００−２７０８４０号（第２頁）
【考案の開示】
【考案が解決しようとする課題】
【０００４】
しかし、このような照明装置においては、つぎのような問題があった。
フィルム状の培地で生育した細菌や微生物等のコロニーを観察するためには、観察者は透過専用の照明装置を使用する必要があった。一方、ペトリ皿中の寒天培地で生育した細菌や微生物等のコロニーを観察するためには、観察者は反射専用の照明装置を使用する必要があった。
【０００５】
したがって、培地の種類に応じて専用の照明装置をそれぞれ備えておく必要があった。そして、培地の種類に応じて専用の照明装置を使用するため手間が掛り、面倒であった。
また、透過用照明光源と反射用照明光源の２組の照明光源を設けている照明装置は、１台の照明装置で透過照明と反射照明を兼用することができるが、透過用照明光源と反射用照明光源の２組の照明光源を設け、それぞれの照明光源を切り換えるための機構が必要となる。
【０００６】
したがって、照明装置の構造が複雑となり、装置が大型化するという問題があった。
本考案は、このような不具合に鑑みなされたものであり、上述のような照明装置において、透過用照明光源と反射用照明光源の２組の照明光源を設けずに、１台の照明装置で透過照明と反射照明を実現することを目的とする。
【課題を解決するための手段】
【０００７】
上述した問題点を解決するためになされた本考案の照明装置（１：なお、この欄においては、考案に対する理解を容易にするため、必要に応じて「考案を実施するための最良の形態」欄において説明した構成要素を括弧内に示すが、この記載によって実用新案登録請求の範囲を限定することを意味するものではない。）は、光を照射するための光源（８ａ，８ｂ）と、位置決め部（４，２ｃ）と、を備えている。そして、位置決め部（４，２ｃ）は光源（８ａ，８ｂ）から照射された光がコロニー（１８）を収容した収容体（１４，１６）を透過し、その透過光により収容体（１４，１６）に収容されたコロニー（１８）を観察可能な位置に収容体（１４，１６）を位置させることができるように構成されているとともに、光源（８ａ，８ｂ）から照射された光が収容体（１４，１６）に収容されたコロニー（１８）によって反射され、その反射光により収容体（１４，１６）に収容されたコロニー（１８）を観察可能な位置に収容体（１４，１６）を位置させることができるように構成されている。
【０００８】
上述のように、本考案によれば、観察者が照明装置（１）の光源（８ａ，８ｂ）から照射された光によって収容体（１４，１６）に収容されたコロニー（１８）を透過光により観察したい場合には、透過光により観察可能な位置に位置決め部（４）によって収容体（１４，１６）を位置決めすればよい。すなわち、収容体（１４，１６）に収容されたコロニー（１８）を透過照明で観察できる。
【０００９】
一方、観察者が照明装置（１）の光源（８ａ，８ｂ）から照射された光によって収容体（１４，１６）に収容されたコロニー（１８）を反射光により観察したい場合には、反射光により観察可能な位置に位置決め部（２ｃ）によって収容体（１４，１６）を位置決めすればよい。すなわち、収容体（１４，１６）に収容されたコロニー（１８）を反射照明で観察できる。
【００１０】
したがって、１台の照明装置（１）において、透過用照明光源と反射用照明光源の２組の照明光源を設けずに、透過照明と反射照明とを共に実現できる。
次に、請求項２に示すように照明装置の位置決め部（４，２ｃ）は、透過光体（４）と、載置台（２ｃ）と、を備えているとよい。
【００１１】
まず、観察者が照明装置の光源（８ａ，８ｂ）から照射された光によって収容体（１４，１６）に収容されたコロニー（１８）を透過光により観察したい場合には、収容体（１４，１６）を透過光体（４）に載せることによって観察可能な位置に位置決めできる。なぜならば、光源（８ａ，８ｂ）から照射された光が透過光体（４）の内部を透過して収容体（１４，１６）へ出射され、収容体（１４，１６）へ出射された光が収容体（１４，１６）の内部を透過して観察者によって観察されるように透過光体（４）が構成されているからである。したがって、観察者は収容体（１４，１６）に収容されたコロニー（１８）を透過照明で観察できる。
【００１２】
一方、観察者が照明装置の光源（８ａ，８ｂ）から照射された光によって収容体（１４，１６）に収容されたコロニー（１８）を反射光により観察したい場合には、収容体（１４，１６）を載置台（２ｃ）に載せることによって観察可能な位置に位置決めできる。なぜならば、光源（８ａ，８ｂ）から照射された光が載置台（２ｃ）に載せられた収容体（１４，１６）に収容されたコロニー（１８）によって反射され、その反射光により前記収容体（１４，１６）に収容されたコロニー（１８）を観察者によって観察されるように載置台（２ｃ）が構成されているからである。したがって、観察者は収容体（１４，１６）に収容されたコロニー（１８）を反射照明で観察できる。
【００１３】
また、請求項３に示すように照明装置の透過光体（４）は、反射部材（１２）と、透過光部材（６）と、を有しているとよい。透過光体（４）が反射部材（１２）を有していることにより光源（８ａ，８ｂ）から照射された光が反射部材（１２）によって透過光部材（６）へ反射される。そして、透過光体（４）が透過光部材（６）を有していることにより反射部材（１２）によって反射された光が透過光部材（６）の内部を透過して収容体（１４，１６）へ出射され、収容体（１４，１６）へ出射された光が収容体（１４，１６）の内部を透過して観察者によって観察される。したがって、観察者はコロニー（１８）を収容した収容体（１４，１６）を透過照明で観察できる。
【００１４】
なお、請求項４に示すように、透過光体（４）の反射部材（１２）は、光散乱部（１２ｂ）を有しているとよい。反射部材（１２）が光散乱部（１２ｂ）を有していることにより光源（８ａ，８ｂ）から照射された光が反射部材（１２）の光散乱部（１２ｂ）によって散乱して反射され透過光部（６）の入射面へ入射される。すなわち、透過光部（６）の入射面の２次元方向に対して光の照度の不均一性を少なくできる。
【００１５】
さらに、請求項５に示すように、透過光体（４）の透過光部材（６）は、反射部材（１２）によって反射された光が透過光部材（６）の内部を透過し、収容体（１４，１６）へ出射するための出射面に光散乱部（６ａ）を有する光散乱部材（６）からなるとよい。透過光部（６）に入射された光を収容体（１４，１６）へ出射するための出射面に光散乱部（６ａ）を有しているので光散乱面として入射された光を散乱させて出射する。すなわち、透過光部（６）の出射面の２次元方向に対して光の照度の不均一性を少なくできる。そして、透過光部（６）を光散乱部材（６）とすることによって透過する光を透過光部（６）の内部でも拡散させる。すなわち、透過光部（６）の内部を透過することで透過光部（６）の出射面の２次元方向に対してさらに光の照度の不均一性を少なくできる。
また、請求項６に示すように、照明装置の載置台（２ｃ）は、不透明部材（２ｃ）からなるとよい。載置台（２ｃ）は、不透明部材からなることにより光源（８ａ，８ｂ）から照射された光が載置台（２ｃ）に載せられた収容体（１４，１６）に収容されたコロニー（１８）によって反射され、その反射光により前記収容体（１４，１６）に収容されたコロニー（１８）を観察者によって観察するのに支障のない背景を得ることができる。
【００１６】
次に、請求項７に示すように、光源（８ａ，８ｂ）は、収容体（１４，１６）を間に挟んで対向する位置に配置された２つの光源部（８ａ，８ｂ）からなるとよい。照度は光源からの距離が長くなるにしたがって低下する。例えば光源部が１つの場合には、収容体（１４，１６）に収容されたコロニー（１８）の観察部位ごとに照度が不均一となるため観察誤差を生ずる恐れがある。したがって、収容体（１４，１６）を間に挟んで対向する位置に２つの光源部（８ａ，８ｂ）が配置されることによって、収容体（１４，１６）に収容されたコロニー（１８）の観察部位ごとの照度の不均一性を少なくでき、観察誤差を防止できる。
【００１７】
また、請求項８に示すように、光源（８ａ，８ｂ）の２つの光源部（８ａ，８ｂ）は、冷陰極管（８ａ，８ｂ）であるとよい。冷陰極管（８ａ，８ｂ）は蛍光管のなかでは、細形の蛍光管に適している。したがって、２つの光源部（８ａ，８ｂ）を冷陰極管（８ａ，８ｂ）とすることによって照明装置全体を小型化できる。
【考案を実施するための最良の形態】
【００１８】
以下、本考案が適用された実施形態を図面とともに説明する。
［構成の説明］
図１（ａ）は本実施形態の照明装置１とフィルム状培地１４とを示す斜視図であり、（ｂ）は（ａ）のＡ−Ａ線における断面図であり、（ｃ）は（ａ）のＢ−Ｂ線における透過光体４の断面図である。
【００１９】
図１（ａ）に示すように照明装置１は、本体２と、透過光体４と、を備えている。
（本体２の構成の説明）
図１（ｂ）に示すように本体２は、棒状で対向して配置された２つの冷陰極管８ａ，８ｂとこの２つの冷陰極管８ａ，８ｂの間に透過光体４を載せるための載置台２ｃを内蔵し、下部のケース２ａと上部のケースカバー２ｂによって外装されている。そして、本体２の載置台２ｃに透過光体４を載せた照明装置１は、略直方体の形状を成している。また、ケース２ａの内部に図示されないビスなどの締結部材によって載置台フレーム２ｄが取り付けられている。そして、この載置台フレーム２ｄに図示されないビスなどの締結部材によって載置台２ｃが取り付けられている。なお、ケース２ａ、カースカバー２ｂ、載置台フレーム２ｄは防錆処理を施された鋼鈑から形成されている。また、載置台２ｃは透過光体４を載せる面に黒一色の防錆処理を施された鋼鈑から形成されている。
【００２０】
そして、２つの冷陰極管８ａ，８ｂは、それぞれの両端部を合成樹脂製の２つの冷陰極管取付部材２ｅ，２ｆによって嵌め込み構造で保持されている。そして、この２つの冷陰極管取付部材２ｅ，２ｆは、載置台２ｃに図示されないビスなどの締結部材により取り付けられている。また、２つの冷陰極管取付部材２ｅ，２ｆには、２つの冷陰極管８ａ，８ｂから照射された光を互いに対向する向きに反射させるための２つの冷陰極管反射カバー１０ａ，１０ｂが、嵌め込み構造で保持されている。この２つの冷陰極管反射カバー１０ａ，１０ｂは、２つの冷陰極管８ａ，８ｂの長さとほぼ同等でその長手方向の断面は略半円の断面形状を有し、その開口部を互いに対向するように配置され、２つの冷陰極管８ａ，８ｂから照射された光を反射するための加工処理を施された鋼鈑から形成されている。
【００２１】
なお、２つの冷陰極管取付部材２ｅ，２ｆと２つの冷陰極管反射カバー１０ａ，１０ｂは、本体２に内蔵されている。さらに、２つの冷陰極管８ａ，８ｂを点灯、消灯させるための図示されない切り替えスイッチが本体２に設けられている。この図示されない切り替えスイッチの切り替えにより本体２に収納されている図示されない電気制御部によって２つの冷陰極管８ａ，８ｂが点灯、消灯される。
【００２２】
（透過光体４の構成の説明）
次に、照明装置１の透過光体４について説明する。透過光体４は、透過光体４が本体２の載置台２ｃに載せられた場合に、２つの冷陰極管８ａ，８ｂの間に配置されたアーチ形状を有する反射部材１２と、この反射部材１２を保持しフィルム培地１４を載せるための載置板６ａを有する透過光部６と、から構成されている。
【００２３】
具体的には、図１（ｃ）に示すように透過光部材６は、矩形の表面に光散乱面を有する載置板６ａとこの載置板６ａの裏面に反射部材１２を挟み込むように立設された矩形の板状の２つの脚板６ｂ，６ｃとから一体に形成されている。この載置板６ａと２つの脚板６ｂ，６ｃは、光散乱機能を有する合成樹脂で形成されている。
【００２４】
一方、図１（ｂ）に示すように反射部材１２は、２つの冷陰極管８ａ，８ｂから照射され、２つの冷陰極管反射カバー１０ａ，１０ｂによって反射された光を透過光部材６へ反射するようなアーチ形状を有し、基材１２ａとアルミニウム蒸着部１２ｂから形成されている。基材１２ａは、薄板でその中央部を載置板６ａの方向に近づけるようなアーチ形状を有する合成樹脂からなる。また、基材１２ａの載置板６ａの方向にアルミニウム蒸着部１２ｂが形成されている。
【００２５】
そして、図１（ｃ）に示すように反射部材１２は、透過光部材６の２つの脚板６ｂ，６ｃの間に、２つの脚板６ｂ，６ｃに設けられた溝に差し込むことによって構成される。なお、反射部材１２は、透過光部６の脚板６ｂの溝６ｄと脚板６ｃの溝６ｅの間に差し込む構成としたが、これには限らない。例えば接着剤により固着されてもよい。
【００２６】
また、照明装置１の本体２の大きさは、載置台２ｃに載せる透過光体４やペトリ皿１６やフィルム培地１４の大きさと、２つの冷陰極管８ａ，８ｂの大きさと、図示されない切り替えスイッチと電気制御部の大きさと、これらの関連部材の大きさとを考慮して設定される。
【００２７】
以上、本実施形態の照明装置１の構成について説明したが、本実施形態における照明装置１の構成と、実用新案登録請求の範囲に記載した構成との対応関係は次の通りである。即ち、本実施形態の２つの冷陰極管８ａ，８ｂが光源に該当し、透過光体４が位置決め部の透過光体に該当し、載置台２ｃが位置決め部の載置台に該当し、ペトリ皿１６中の寒天培地１７やフィルム状培地１４がコロニー１８を収容した収容体に該当し、アルミニウム蒸着部１２ｂが反射部材の光散乱部に該当し、載置板６ａの光散乱面が透過光部材の光散乱部に該当し、載置板６ａと２つの脚板６ｂ，６ｃが透過光部材の光散乱部材に該当し、載置台２ｃの透過光体４を載せる面に黒一色の防錆処理を施された鋼鈑が載置台の不透明部材に該当する。
【００２８】
［使用方法の説明］
次に、この照明装置１の使用方法を説明する。
まず、フィルム状培地１４で生育した細菌や微生物等のコロニー１８を透過照明で観察する場合には、図１（ａ）に示すように本体２の載置台２ｃに透過光体４を載せ、透過光体４の透過光部６の載置板６ａ上にフィルム状培地１４を載せる。そして、本体２に設けられた図示されない切り替えスイッチを点灯側に切り替えると２つの冷陰極管８ａ，８ｂが図示されない電気制御部によって点灯される。そして、点灯された２つの冷陰極管８ａ，８ｂによって照射された光は図１（ｂ）に示すように２つの冷陰極管反射カバー１０ａ，１０ｂによって集光されて透過光体４の反射部材１２に照射される。そして、反射部材１２のアルミニウム蒸着部１２ｂによって散乱して反射された光が透過光部６の載置板６ａの下側へ入射される。すると、載置板６ａの下側へ入射された光は光散乱機能を有する合成樹脂で形成された透過光部６の載置板６ａ内を透過して、光散乱面を有する載置板６ａの表面から光を散乱してフィルム状培地１４へ出射する。なお、図１（ｂ），図２（ｂ），図３（ｂ），図４（ｂ），図１０（ｂ）中の矢印は、光が進む方向を示している。よって、観察者はフィルム状培地１４で生育した細菌や微生物等のコロニー１８を透過照明で観察することができる。
【００２９】
次に、ペトリ皿１６の寒天培地１７で生育した細菌や微生物等のコロニー１８を反射照明で観察する場合には、生育した状態とは違いペトリ皿１６を上下反転させる。つまり、図２（ａ）に示すように寒天培地１７を収納したペトリ皿１６の底部１６ａを観察者側に向け、ペトリ皿１６の蓋部１６ａを本体２の載置台２ｃに直接載せる。そして、点灯された２つの冷陰極管８ａ，８ｂによって照射された光は図２（ｂ）に示すように２つの冷陰極管反射カバー１０ａ，１０ｂによって集光されてペトリ皿１６中の寒天培地１７のコロニー１８に照射される。すると、ペトリ皿１６中の寒天培地１７のコロニー１８へ照射された光は寒天培地１７のコロニー１８で反射され、観察者は寒天培地１７で生育した細菌や微生物等のコロニー１８を反射照明で観察することができる。
【００３０】
また、ペトリ皿１６中の寒天培地１７で生育した細菌や微生物等のコロニー１８を透過照明で観察することもできる。この場合には、図３（ａ）に示すように本体２の載置台２ｃに透過光体４を載せる。そして、図３（ａ）、（ｂ）に示すように寒天培地１７を収納したペトリ皿１６の底部１６ａを観察者側に向けて、ペトリ皿１６の蓋部１６ａを透過光体４の透過光部６の載置板６ａ上に載せる。そして、上述したフィルム状培地１４で生育した細菌や微生物等のコロニー１８を透過照明で観察する場合と同様に観察者はペトリ皿１６中の寒天培地１７で生育した細菌や微生物等のコロニー１８を透過照明で観察することができる。
【００３１】
さらに、フィルム状培地１４で生育した細菌や微生物等のコロニー１８を反射照明で観察することもできる。この場合には、図４（ａ）、（ｂ）に示すように本体２の載置台２ｃに直接フィルム状培地１４を載せる。そして、上述したペトリ皿１６中の寒天培地１７で生育した細菌や微生物等のコロニー１８を反射照明で観察する場合と同様に観察者はフィルム培地１４で生育した細菌や微生物等のコロニー１８を反射照明で観察することができる。
【００３２】
［効果の説明］
従来、フィルム状培地１４で生育した細菌や微生物等のコロニー１８を観察するためには、観察者は透過専用の照明装置を使用する必要があった。一方、ペトリ皿１６中の寒天培地１７で生育した細菌や微生物等のコロニー１８を観察するためには、観察者は反射専用の照明装置を使用する必要があった。また、１台の照明装置で透過照明と反射照明を兼用するには透過用照明光源と反射用照明光源の２組の照明光源を設ける必要があった。
【００３３】
それに対して、照明装置１は、棒状で対向して配置された２つの冷陰極管８ａ，８ｂとこの２つの冷陰極管８ａ，８ｂの間に透過光体４やペトリ皿１６やフィルム培地１４を載せるための載置台２ｃとを有する本体２と、ペトリ皿１６やフィルム培地１４を載せるための載置板６ａを有する透過光部６を有している透過光体４と、を備えている。
【００３４】
したがって、本体２の載置台２ｃに透過光体４を載せ、透過光体４の透過光部６の載置板６ａ上にフィルム状培地１４やペトリ皿１６を載せることによって透過照明を得ることができる。一方、本体２の載置台２ｃに直接ペトリ皿１６やフィルム状培地１４を載せることによって反射照明を得ることができる。すなわち、透過用照明光源と反射用照明光源の２組の照明光源を設けずに、１台の照明装置１で透過照明と反射照明を得ることができる。
【００３５】
［他の実施形態］
以上、本考案の実施形態について説明したが、本考案は上記実施形態に限定されるものではなく、以下のような様々の態様にて実施することが可能である。
【００３６】
（１）反射部材１２のバリエーション
上記実施形態では、反射部材１２は合成樹脂の基材１２ａとアルミニウム蒸着部１２ｂから形成されていてが、これには限らない。図５（ａ）に示すように反射部材１１２はガラス基材１１２ｄと２つの冷陰極管１０８ａ，１０８ｂから照射され、２つの冷陰極管反射カバー１１０ａ，１１０ｂによって反射された光を受ける面の裏面に設けられたアルミニウム蒸着部１１２ｃから形成されたアーチ状の鏡でもよいし、図５（ｂ）に示すように反射部材２１２は合成樹脂の基材２１２ａと２つの冷陰極管２０８ａ，２０８ｂから照射され、２つの冷陰極管反射カバー２１０ａ，２１０ｂによって反射された光を受ける面に設けられた階段形状部２１２ｅから形成されていてもよい。
【００３７】
さらに、図６（ａ）に示すように反射部材３１２は２つの冷陰極管３０８ａ，３０８ｂから照射され、２つの冷陰極管反射カバー３１０ａ，３１０ｂによって反射された光を透過光部材３０６へ反射するような三角に折り曲げられた形状を有する白色合成樹脂から形成されていてもよいし、少々の照度の不均一性が観察誤差を生ずる恐れがなければ、前記三角に折り曲げられた形状は平板形状としてもよい。また、図６（ｂ）に示すように反射部材３６２は透明な合成樹脂の基材３６２ａと２つの冷陰極管３５８ａ，３５８ｂから照射され、２つの冷陰極管反射カバー３６０ａ，３６０ｂによって反射された光を基材３６２ａの内部に導入し、基材３６２ａの内部に導入された光を透過光部材３５６へ反射するような複数の溝部３６２ｆから形成されたいわゆる導光板でもよい。
【００３８】
（２）透過光部材６のバリエーション
上記実施形態では、透過光体４の透過光部材６は、光散乱機能を有する合成樹脂で形成されていたが、これには限らない。光散乱機能が求められなければ透過光部材６は、透明な合成樹脂で形成されていてもよい。
【００３９】
（３）透過光体４のバリエ−ション
上記実施形態では、透過光体４は、照明装置１に対して取り外し可能な構造であったが、これには限らない。紛失防止を目的に透過光体４０４は、図７（ａ）に示すように蝶番４１８ａ，４１８ｂによって照明装置４０１の本体４０２に対して回転自在に取り付ける構造としてもよい。
【００４０】
また、透過光体４は、反射部材１２を有していたが、これには限らない。透過光の照度が享受されなくてもよければ、反射部材１２を有していなくてもよい。
（４）載置台２ｃのバリエーション
上記実施形態では、載置台２ｃは黒一色の防錆処理を施された鋼板から形成さていたが、これには限らない。ペトリ皿１６中の寒天培地１７やフィルム培地１４で生育した細菌や微生物等のコロニー１８を反射照明で観察するのに支障のない背景を得ることができれば、不透明な合成樹脂で形成されていてもよい。また、図７（ｂ）に示すように照明装置５０１は載置台を有しなくてもよい。載置台の代わりに、黒色の紙などを照明装置５０１の下部に設置してもよい。
【００４１】
（５）光源のバリエーション
上記実施形態では、光源として２つの冷陰極管８ａ，８ｂを使用したが、これには限らない。図８（ａ）に示すように複数個のＬＥＤ６２０を並べて構成してもよいし、フィラメント式の豆電球を並べて構成してもよい。また、２つの冷陰極管８ａ，８ｂは、ペトリ皿１６の大きさの応じて任意の位置に離間して設定できる構造としてもよい。
【００４２】
（６）光源の数のバリエーション
上記実施形態では、光源として２つの冷陰極管８ａ，８ｂを使用したが、これには限らない。フィルム状培地１４やペトリ皿１６中の寒天培地１７で生育した細菌や微生物等のコロニー１８の観察部位ごとの照度の不均一性が観察誤差を生ずる恐れがなければ、図９（ａ）に示すように光源は１つの冷陰極管７０８ａのみでもよい。この場合、透過光体７０４の反射部材７１２は冷陰極管７０８ａ，１０８ｂから照射され、冷陰極管反射カバー７１０ａによって反射された光を透過光部７０６へ反射するために平板で、斜めに取り付けられるように構成されるとよい。一方、フィルム状培地１４やペトリ皿１６中の寒天培地１７で生育した細菌や微生物等のコロニー１８の観察部位ごとの照度の不均一性を少なくするために図９（ｂ）に示すように３つの冷陰極管８０８ａ，８０８ｂ，８０８ｃを設けてもよいし、４つ以上の冷陰極管を設けてもよい。以上に記載した冷陰極管は１段の構成であったが、載置台２ｃの面に垂直の方向の２段以上積み上げた構成としてもよい。
【００４３】
（７）光源の形状のバリエーション
上記実施形態では、光源は直線状であったが、これには限らない。図１０（ａ）に示すように光源９０８ａはリング状であってもよい。また、多角形状であってもよい。
【００４４】
（８）光源の照射角度のバリエーション
上記実施形態では、光源の照射角度は、冷陰極管反射カバー１０ａ，１０ｂによって対向する方向であったが、これには限らない。図１０（ｂ）に示すように冷陰極管反射カバー１０１０ａ，１０１０ｂを載置台１００２ｃの方向へ下向きに設定してもよい。このように設定した場合には、冷陰極管反射カバー１０１０ａ，１０１０ｂによって対向する方向であった場合に比較して、反射照明の照度を高めることができる。さらには、冷陰極管反射カバー１０１０ａ，１０１０ｂの向きを任意に設定できる構造としてもよい。
【００４５】
（９）光源の照度のバリエーション
上記実施形態では、光源は、本体２に設けられた図示されない切り替えスイッチを点灯側に切り替えると２つの冷陰極管８ａ，８ｂが図示されない電気制御部によって点灯されるとしたが、照度が一定とは限らない。図示されない照度調整ダイヤルスイッチを設けて、冷陰極管８ａ，８ｂに与える電圧を調整可能な構造としてもよい。このような構造とすれば、観察者は光源の照度を任意に設定できる。
【００４６】
（１０）ケース２ａ、ケースカバー２ｂ、載置台２ｃ、載置台フレーム２ｄの素材のバリエーション
上記実施形態では、ケース２ａ、ケースカバー２ｂ、載置台２ｃ、載置台フレーム２ｄは鋼板で形成されていたが、これには限らない。ステンレス板やアルミニウム板などの金属でもよいし、合成樹脂で形成されていてもよい。
【図面の簡単な説明】
【００４７】
【図１】（ａ）は本実施形態の照明装置１とフィルム状培地１４とを示す斜視図であり、（ｂ）は（ａ）のＡ−Ａ線における断面図であり、（ｃ）は（ａ）のＢ−Ｂ線における透過光体４の断面図である。
【図２】（ａ）は本実施形態の照明装置１の本体２とペトリ皿１６とを示す斜視図であり、（ｂ）は（ａ）のＣ−Ｃ線における断面図である。
【図３】（ａ）は本実施形態の照明装置１とペトリ皿１６とを示す斜視図であり、（ｂ）は（ａ）のＤ−Ｄ線における断面図である。
【図４】（ａ）は本実施形態の照明装置１の本体２とフィルム状培地１４とを示す斜視図であり、（ｂ）は（ａ）のＥ−Ｅ線における断面図である。
【図５】（ａ）は他の実施形態（１）の照明装置１０１の断面図であり、（ｂ）は他の実施形態（２）の照明装置２０１の断面図である。
【図６】（ａ）は他の実施形態（３）の照明装置３０１を示す斜視図であり、（ｂ）は（ａ）のＦ−Ｆ線における断面図である。
【図７】（ａ）は他の実施形態（４）の照明装置４０１を示す斜視図であり、（ｂ）は他の実施形態（５）の照明装置５０１の本体５０２を示す斜視図である。
【図８】他の実施形態（６）の照明装置６０１の本体６０２を示す斜視図である。
【図９】（ａ）は他の実施形態（７）の照明装置７０１の断面図であり、（ｂ）は他の実施形態（８）の照明装置８０１の断面図である。
【図１０】（ａ）は他の実施形態（９）の照明装置９０１の本体９０２を示す斜視図であり、（ｂ）は他の実施形態（１０）の照明装置１００１の断面図である。
【符号の説明】
【００４８】
１，１０１，２０１，３０１，３５１，４０１，５０１，６０１，７０１，８０１，９０１，１００１…照明装置、２，１０２，２０２，３０２，３５２，４０２，５０２，６０２，７０２，８０２，９０２…本体、２ａ…ケース、２ｂ…ケースカバー、２ｃ，４０２ｃ，６０２ｃ，９０２ｃ，１００２ｃ…載置台、２ｄ…載置台フレーム、２ｅ，２ｆ…冷陰極管取付部材、４，１０４，２０４，３０４，３５４，４０４，７０４…透過光体、６，３０６，３５６，７０６…透過光部材、６ａ，７０６ａ…載置板、６ｂ，６ｃ…脚板、６ｄ，６ｅ…溝、８ａ，８ｂ，１０８ａ，１０８ｂ、２０８ａ，２０８ｂ、３０８ａ，３０８ｂ，３５８ａ，３５８ｂ，７０８ａ，８０８ａ，８０８ｂ，８０８ｃ，９０８ａ，１００８ａ，１００８ｂ…冷陰極管、１０ａ，１０ｂ，１１０ａ，１１０ｂ，２１０ａ，２１０ｂ，３１０ａ，３１０ｂ，３６０ａ，３６０ｂ，７１０ａ，８１０ａ，８１０ｂ，８１０ｃ，９１０ａ，１０１０ａ，１０１０ｂ…冷陰極管反射カバー、１２，１１２，２１２，３１２，３６２，７１２…反射部材、１２ａ，２１２ａ，３６２ａ，７１２ａ…基材、１２ｂ，１１２ｃ，７１２ｂ…アルミニウム蒸着部、１１２ｄ…ガラス基材、２１２ｅ…階段形状部、３６２ｆ…溝部、ｆ１４…フィルム状培地、１６…ペトリ皿、１６ａ…蓋部、１６ｂ…底部、１７…寒天培地、１８…コロニー、４１８ａ，４１８ｂ…蝶番、６２０…ＬＥＤ。
【図１】
0003113204.tif 000003
【図２】
0003113204.tif 000004
【図３】
0003113204.tif 000005
【図４】
0003113204.tif 000006
【図５】
0003113204.tif 000007
【図６】
0003113204.tif 000008
【図７】
0003113204.tif 000009
【図８】
0003113204.tif 000010
【図９】
0003113204.tif 000011
【図１０】
0003113204.tif 000012